(57)【要約】【課題】送信側端末機ユーザが共有しようとするウェブページの特定位置をさらに正確に共有することができるように支援する。【解決手段】本発明は、ウェブページ共有機能に関し、特にウェブページを受信する通信部と、ウェブページのうちの一部領域を表示する表示部と、ウェブページの固有アドレス情報及びウェブページでのウェブページ一部領域の位置情報を収集し、これを他の端末機に送信するように制御する制御部とを含むことを特徴とする、ウェブページ共有を支援する端末機、これを含むウェブページ共有支援システム及びウェブページ共有方法である。【選択図】図５
2014154161.tif 000002
【特許請求の範囲】
【請求項１】
ウェブページを受信する通信部と；
前記ウェブページのうちのウェブページ一部領域を表示する表示部と；
前記ウェブページの固有アドレス情報及び前記ウェブページでのウェブページ一部領域の位置情報を収集し、これを他の端末機に送信するように制御する制御部と；
を含むことを特徴とする、ウェブページ共有を支援する端末機。
【請求項２】
前記制御部は、前記ウェブページ全体サイズ情報及び前記ウェブページ一部領域の特定地点座標情報を前記位置情報として収集するように制御することを特徴とする、請求項１に記載の端末機。
【請求項３】
前記制御部は、前記収集された座標情報を利用して、前記ウェブページ表示時に前記ウェブページ一部領域が表示部に表示されるように設定する仮想アンカーを生成することを特徴とする、請求項２に記載の端末機。
【請求項４】
前記制御部は、前記ウェブページの最上端に表示されたコンテンツのタグＩＤ情報と前記表示部に出力中の前記ウェブページ一部領域の特定地点座標情報とを位置情報として収集するように制御することを特徴とする、請求項１に記載の端末機。
【請求項５】
前記制御部は、前記ウェブページ一部領域に含まれた少なくとも１つのコンテンツのタグＩＤ情報を前記位置情報として収集するように制御することを特徴とする、請求項１に記載の端末機。
【請求項６】
前記制御部は、前記ウェブページ一部領域の横モードまたは縦モード表示状態情報を前記位置情報に含んで伝送するように制御することを特徴とする、請求項５に記載の端末機。
【請求項７】
前記制御部は、前記ウェブページ一部領域に含まれた複数個のコンテンツのタグＩＤ情報のうち、入力イベントによって指定された特定コンテンツのタグＩＤ情報を位置情報として収集するように制御することを特徴とする、請求項５に記載の端末機。
【請求項８】
前記制御部は前記ウェブページ一部領域に含まれたテキストのうち、少なくとも一部を位置情報検索語として収集するように制御することを特徴とする、請求項１に記載の端末機。
【請求項９】
前記制御部は、前記ウェブページ一部領域のうち一定領域に対するキャプチャー情報を位置情報として収集するように制御することを特徴とする、請求項１に記載の端末機。
【請求項１０】
第１ウェブページの固有アドレス情報及び前記第１ウェブページでの第１ウェブページ一部領域の位置情報を受信する通信部と；
前記固有アドレス情報を利用して前記第１ウェブページと同じ固有アドレス情報を有する第２ウェブページ受信を制御し、前記位置情報に基づいて前記第１ウェブページ一部領域に該当する第２ウェブページ一部領域を決定する制御部と；
決定された前記第２ウェブページ一部領域を表示する表示部と；
を含むことを特徴とする、ウェブページ共有を支援する端末機。
【請求項１１】
前記制御部は、前記第１ウェブページ全体サイズ情報及び前記第１ウェブページ一部領域の特定地点座標情報を含む位置情報受信時に、前記第１ウェブページサイズに対して第２ウェブページサイズの比率を前記位置情報に適用し、第２ウェブページ一部領域を表示するように制御することを特徴とする、請求項１０に記載の端末機。
【請求項１２】
前記制御部は、前記第１ウェブページ一部領域に含まれた少なくとも１つのコンテンツのタグＩＤ情報を含む位置情報受信時に、前記コンテンツのタグＩＤ情報を第２ウェブページで検索し、前記タグＩＤ情報を有するコンテンツが位置する一定領域を第２ウェブページ一部領域に表示するように制御することを特徴とする、請求項１０に記載の端末機。
【請求項１３】
前記制御部は、前記第１ウェブページ一部領域に含まれたテキストのうち少なくとも一部のテキストを含む位置情報受信時に、前記第２ウェブページを表示し、且つ、前記少なくとも一部のテキストを含む領域を第２ウェブページ一部領域に表示するように制御することを特徴とする、請求項１０に記載の端末機。
【請求項１４】
前記制御部は、前記第１ウェブページ一部領域のうち一定領域に対するキャプチャー情報を含む位置情報受信時に、前記第２ウェブページを表示し、且つ、前記キャプチャー情報とマッチする領域を含むように第２ウェブページ一部領域を表示するように制御することを特徴とする、請求項１０に記載の端末機。
【請求項１５】
端末機によるウェブページ共有方法であって、
ウェブページを受信する過程と；
前記ウェブページのうちのウェブページ一部領域を表示する過程と；
前記ウェブページの固有アドレス情報及び前記ウェブページ一部領域の位置情報を収集する過程と；
前記収集されたウェブページ固有アドレス情報及び前記位置情報を他の端末機に送信する送信過程と；を含むことを特徴とする方法。
【請求項１６】
前記位置情報を収集する過程は、
前記ウェブページ全体サイズ情報及び前記ウェブページ一部領域の特定地点座標情報を前記位置情報として収集する過程であることを特徴とする、請求項１５に記載の方法。
【請求項１７】
前記収集された座標情報を利用して前記ウェブページ表示時に前記ウェブページ一部領域が表示部に表示されるように設定する仮想アンカーを生成する過程；をさらに含むことを特徴とする、請求項１６に記載の方法。
【請求項１８】
前記位置情報収集を行う過程は、
前記ウェブページの最上端に表示されたコンテンツのタグＩＤ情報と前記表示部に出力中の前記ウェブページ一部領域の特定地点座標情報を位置情報として収集する過程；を含むことを特徴とする、請求項１５に記載の方法。
【請求項１９】
前記位置情報収集を行う過程は、前記ウェブページ一部領域に含まれた少なくとも１つのコンテンツのタグＩＤ情報を前記位置情報として収集する過程であることを特徴とする、請求項１５に記載の方法。
【請求項２０】
前記位置情報収集を行う過程は、前記ウェブページ一部領域に含まれた複数個のコンテンツのタグＩＤ情報のうち入力イベントによって指定された特定コンテンツのタグＩＤ情報を位置情報として収集するように制御することを特徴とする、請求項１９に記載の方法。
【請求項２１】
前記送信過程は、
前記ウェブページ一部領域の横モードまたは縦モード表示状態情報を前記位置情報に含む過程；をさらに含むことを特徴とする、請求項１５に記載の方法。
【請求項２２】
前記位置情報収集を行う過程は、
前記ウェブページ一部領域に含まれたテキストのうち少なくとも一部を位置情報検索語として収集する過程；及び
前記ウェブページ一部領域のうち一定領域に対するキャプチャー情報を位置情報として収集する過程；
のうちの少なくとも１つの過程をさらに含むことを特徴とする、請求項１５に記載の方法。
【請求項２３】
端末機によるウェブページ共有方法であって、
第１ウェブページの固有アドレス情報及び前記第１ウェブページでの第１ウェブページ一部領域の位置情報を受信する過程と；
前記固有アドレス情報を利用して、前記第１ウェブページと同じ固有アドレス情報を有する第２ウェブページを受信する過程と；
前記位置情報に基づいて前記第１ウェブページ一部領域に該当する第２ウェブページ一部領域を決定する過程と；
決定された前記第２ウェブページ一部領域を表示する表示過程と；
を含むことを特徴とする方法。
【請求項２４】
前記位置情報を受信する過程は、前記第１ウェブページ全体サイズ情報及び前記第１ウェブページ一部領域の特定地点座標情報を含む位置情報を受信する過程であることを特徴とする、請求項２３に記載の方法。
【請求項２５】
前記表示過程は、前記第１ウェブページサイズに対して第２ウェブページサイズの比率を前記位置情報に適用し、第２ウェブページ一部領域を表示する過程であることを特徴とする、請求項２４に記載の方法。
【請求項２６】
前記位置情報を受信する過程は、前記第１ウェブページ一部領域に含まれた少なくとも１つのコンテンツのタグＩＤ情報を含む位置情報を受信する過程であることを特徴とする、請求項２３に記載の方法。
【請求項２７】
前記表示過程は、前記コンテンツのタグＩＤ情報を第２ウェブページで検索し、前記タグＩＤ情報を有するコンテンツが位置する一定領域を第２ウェブページ一部領域に表示する過程であることを特徴とする、請求項２６に記載の方法。
【請求項２８】
前記位置情報を受信する過程は、前記第１ウェブページ一部領域に含まれたテキストのうち少なくとも一部のテキストを含む位置情報を受信する過程であることを特徴とする、請求項２３に記載の方法。
【請求項２９】
前記表示過程は、前記第２ウェブページを表示し、且つ前記少なくとも一部のテキストを含む領域を第２ウェブページ一部領域に表示する過程であることを特徴とする、請求項２８に記載の方法。
【請求項３０】
前記位置情報を受信する過程は、前記第１ウェブページ一部領域のうち一定領域に対するキャプチャー情報を含む位置情報を受信する過程であることを特徴とする、請求項２３に記載の方法。
【請求項３１】
前記表示過程は、前記第２ウェブページを表示し、且つ、前記キャプチャー情報とマッチする領域を含むように第２ウェブページ一部領域を表示する過程であることを特徴とする、請求項３０に記載の方法。
【発明の詳細な説明】
【技術分野】
【０００１】
本発明は、端末機のウェブページ共有に関し、特に送信側端末機で現在表示されている特定位置のウェブページを受信側端末機に正確に伝達し、情報の共有をさらに正確に行うことができるように支援するウェブページ共有方法、システム及びこれを支援する端末機に関する。
【背景技術】
【０００２】
携帯端末機は、通信機能を有し、そのサイズが携帯することができるほどに充分に小さいため、多くの人々が利用している。このような携帯端末機は、最近になってタッチスクリーンのサイズが拡大されると共に、多様なコンテンツを提供することができるハードウェア及びソフトウェアのサポートに伴い、顕著な成長を遂げている傾向にある。
【０００３】
このような従来の携帯端末機は、多様なコンテンツを提供するとき、表示部を通じて提供する。特に従来の携帯端末機の機能のうちウェブ接続機能は、ウェブに接続されたサーバーにアクセスし、表示部を通じて、当該サーバーが提供するウェブページに含まれたコンテンツのうち表示コンテンツを提供する機能である。このようなウェブ接続機能は、最近になって、非常に一般化された機能となり、多様な生活環境の中で多様なユーザが利用している傾向にある。
【０００４】
一方、携帯端末機がウェブ接続機能を実行している過程で送信側端末機ユーザが現在見ているウェブページを受信側端末機ユーザに伝送することを送信側端末機ユーザが希望する場合がたびたび発生する。例えば、送信側端末機ユーザがウェブページで特定コンテンツを検索し、当該コンテンツを受信側端末機ユーザに示したい欲求が発生することがある。ところが、従来の携帯端末機のウェブ接続機能では、送信側端末機ユーザが現在見ているウェブページのアドレス情報をコピーして提供することしかできないので、受信側端末機ユーザは、送信側端末機ユーザが検索したコンテンツを見るのではなく、当該ウェブページのうちデフォルトとして定められた画面のみを最初は見ることになる。
【０００５】
このような問題は、受信側端末機ユーザが送信側端末機ユーザと共有しようとするコンテンツを検索するために、当該ウェブページの特定位置から特定コンテンツが配置された領域を検索しなければならず、受信側端末機ユーザにとっては煩わしい。しかも、ウェブページに含まれた特定コンテンツが非常に小さく表示される場合には、コンテンツを容易に探索することができないため、受信側端末機ユーザに非常に大きい不便を感じさせることとなる。さらに、当該コンテンツの検索がどうしても要求される状況である場合、送信側端末機ユーザは、当該コンテンツを受信側端末機ユーザが正確に検索することができるように追加的な情報を音声通話や文字メッセージなどで提供しなければならず、送信側端末機ユーザに対しても不便を感じさせることとなる。
【発明の概要】
【発明が解決しようとする課題】
【０００６】
したがって、本発明の目的は、前述するような従来技術の問題点を解決するためになされたものであって、送信側端末機ユーザが共有しようとするウェブページの特定位置をさらに正確に共有することができるように支援するウェブページ共有方法とシステム及びこれを支援する端末機を提供することにある。
【課題を解決するための手段】
【０００７】
上記目的を達成するための本発明の第１の態様に係るウェブページ共有支援システムは、固有アドレス情報を有するウェブページを提供するウェブページ提供装置と、ウェブページのうちの一部領域を表示し、入力イベントによってウェブページの固有アドレス情報及び表示された一部領域のウェブページでの位置情報を収集して送信する送信側端末機と、送信側端末機からウェブページの固有アドレス情報と位置情報を受信し、固有アドレス情報を利用してウェブページ提供装置からウェブページを受信し、位置情報に基づいて送信側端末機に表示されるウェブページの一部領域に対応する領域を表示する受信側端末機とを含むことを特徴とする。
【０００８】
本発明の第２の態様に係るウェブページ共有方法は、送信側端末機が固有アドレス情報を有する第１ウェブページを出力する過程と、入力イベントによって送信側端末機が第１ウェブページの固有アドレス情報及び表示された一部領域の第１ウェブページでの位置情報を収集する過程と、送信側端末機が収集された情報を受信側端末機に送信する過程と、受信側端末機が送信側端末機から第１ウェブページの固有アドレス情報と位置情報とを受信する過程と、受信側端末機が固有アドレス情報を利用して第１ウェブページに対応する第２ウェブページを受信し、位置情報に基づいて送信側端末機に表示される第１ウェブページの一部領域に対応する第２ウェブページの一部領域を表示する過程とを含むことを特徴とする。
【０００９】
本発明の第３の態様に係る端末機は、ウェブページを受信する通信部と、ウェブページのうちのウェブページ一部領域を表示する表示部と、ウェブページの固有アドレス情報及びウェブページでのウェブページ一部領域の位置情報を収集し、これを他の端末機に送信するように制御する制御部とを含むことを特徴とする。
【００１０】
本発明の第４の態様に係る端末機は、第１ウェブページの固有アドレス情報及び第１ウェブページでの第１ウェブページ一部領域の位置情報を受信する通信部と、固有アドレス情報を利用して第１ウェブページと同じ固有アドレス情報を有する第２ウェブページ受信を制御し、前記位置情報に基づいて第１ウェブページ一部領域に該当する第２ウェブページ一部領域を決定する制御部と、決定された第２ウェブページ一部領域を表示する表示部とを含むことを特徴とする。
【００１１】
本発明の第５の態様に係る端末機によるウェブページ共有方法は、ウェブページを受信する過程と、ウェブページのうちのウェブページ一部領域を表示する過程と、ウェブページの固有アドレス情報及び前記ウェブページ一部領域の位置情報を収集する過程と、収集されたウェブページ固有アドレス情報及び位置情報を他の端末機に送信する送信過程とを含むことを特徴とする。
【００１２】
本発明の第６の態様に係る端末機によるウェブページ共有方法は、第１ウェブページの固有アドレス情報及び第１ウェブページでの第１ウェブページ一部領域の位置情報を受信する過程と、固有アドレス情報を利用して第１ウェブページと同じ固有アドレス情報を有する第２ウェブページを受信する過程と、位置情報に基づいて第１ウェブページ一部領域に該当する第２ウェブページ一部領域を決定する過程と、決定された第２ウェブページ一部領域を表示する表示過程とを含むことを特徴とする。
【発明の効果】
【００１３】
以上説明したように、本発明のウェブページ共有方法、システム及びこれを支援する端末機によれば、本発明は、送信側端末機ユーザが指定した特定位置のウェブページと同じ特定位置のウェブページを受信側端末機でも見られるように支援する。
【００１４】
また、本発明は、さらに簡単な情報の伝送に基づいてウェブページの特定位置共有が可能になるように支援する。
【図面の簡単な説明】
【００１５】
【図１】本発明の実施形態によるウェブページ共有システムの構成を概略的に示す図である。
【図２】本発明の実施形態によるウェブページ共有機能を支援する端末機の構成を概略的に示す図である。
【図３】図１の制御部の構成をさらに詳しく示す図である。
【図４】本発明の実施形態によるウェブページ共有のためのシステムの各構成間の信号フローを示す図である。
【図５】本発明の実施形態によるウェブページ共有のための送信側端末機の動作を説明するための図である。
【図６】本発明の実施形態によるウェブページ共有のための受信側端末機の動作を説明するための図である。
【図７】本発明の実施形態によるウェブページ共有機能をサポートする端末機の画面インターフェースの一例を示す図である。
【図８】本発明の実施形態によるウェブページ共有機能をサポートする端末機の画面インターフェースの他の例を示す図である。
【図９】本発明の実施形態によるウェブページ共有機能をサポートする端末機の画面インターフェースのさらに他の例を示す図である。
【発明を実施するための形態】
【００１６】
以下、本発明の実施形態を添付の図面に基づいて詳しく説明する。
【００１７】
実施例を説明するにあたって、本発明の属する技術分野によく知られており、本発明と直接的に関連がない技術内容については、説明を省略する。また、実質的に同一の構成と機能を有する構成要素については、詳細な説明を省略する。
【００１８】
同様の理由で添付の図面において、一部の構成要素は、誇張されるか、省略されるかまたは概略的に図示され、各構成要素のサイズは、実際サイズを反映するものではない。したがって、本発明は、添付の図面に描かれた相対的なサイズや間隔によって制限されない。
【００１９】
図１は、本発明の実施形態によるウェブページ共有支援システム１０の構成を概略的に示す図である。
【００２０】
図１を参照すれば、本発明の共有支援システム１０は、送信側端末機１０１、受信側端末機１０２、ウェブページ提供装置４００、通信ネットワーク３００を含むことができる。
【００２１】
このような構成を含む本発明の共有支援システム１０は、送信側端末機１０１がウェブページ提供装置４００への接続を行い、ウェブページを受信し、これを検索及び確認する過程で当該ウェブページの固有アドレス情報と送信側端末機１０１の表示部上に現在出力中のウェブページの位置情報を収集する。そして、送信側端末機１０１は、収集されたウェブページの固有アドレス情報及びウェブページの位置情報を受信側端末機１０２に送信し、受信側端末機１０２は、ウェブページ提供装置４００から当該ウェブページを受信し、且つ、受信したウェブページの位置情報に基づいて、当該ウェブページを自らの表示部に出力する。これにより、本発明の共有支援システム１０は、送信側端末機１０１のユーザが検索中の特定位置の特定ウェブページを受信側端末機１０２の表示部に正確に出力することによって、受信側端末機１０２のユーザが別に当該ウェブページの特定位置検索を行う必要なく、ページの位置を共有することができるように支援する。このような機能は、送信側端末機１０１のユーザが受信側端末機１０２のユーザに特定ウェブページの特定位置に配置されたアイテムやコンテンツをすぐ確認することができるようにして、プレゼントリクエストや、情報確認などをさらに容易且つ迅速に、また便利に行うことができるように支援する。
【００２２】
送信側端末機１０１は、通信部を利用して通信ネットワーク３００への接続を行い、ウェブページ提供装置４００への接続を行うことができる。そして、送信側端末機１０１は、入力部または入力機能の表示部から入力される入力信号によってウェブページ提供装置４００が提供する特定ウェブページを受信し、表示部に出力する。この際、提供されるウェブページは、ウェブページまたは特定サーバー装置が提供する特定ウェブページ、クラウドシステム基盤で提供されるページなど多様なページであってもよい。
【００２３】
一方、送信側端末機１０１は、ユーザリクエストによる入力イベントが発生すれば、表示部上に出力中のウェブページの固有アドレス情報及び表示部上に現在表示中のウェブページの位置情報を収集する。そして、送信側端末機１０１は、ユーザリクエストに従って収集されたウェブページの固有アドレス情報及び位置情報を、通信ネットワーク３００を通じて受信側端末機１０２に送信することができる。
【００２４】
受信側端末機１０２は、通信ネットワーク３００に対してキャンプオンしておき、送信側端末機１０１が提供するウェブページの固有アドレス情報及び位置情報を利用して送信側端末機１０１の表示部に出力中のウェブページ状態を受信側端末機１０２の表示部で再現する。このために、受信側端末機１０２は、送信側端末機１０１が提供したウェブページの固有アドレス情報を利用してウェブページ提供装置４００への接続を行う。そして、ウェブページ提供装置４００から当該固有アドレス情報に該当するウェブページを受信する。その後、受信側端末機１０２は、ウェブページを自分の表示部に出力し、且つ、ウェブページの位置情報に対応するウェブページの特定位置が表示されるように制御する。これにより、受信側端末機１０２は、送信側端末機１０１のリクエストに従って送信側端末機１０１に表示中の、または表示されたウェブページと同一の位置を表示部に出力する。
【００２５】
ウェブページ提供装置４００は、通信ネットワーク３００に接続され、送信側端末機１０１及び受信側端末機１０２のリクエストに従って特定ウェブページを提供する構成である。このようなウェブページ提供装置４００は、あらかじめ多様なウェブページを構築して格納し、送信側端末機１０１及び受信側端末機１０２のリクエストによる特定ウェブページを、通信ネットワーク３００を通じて提供する。このようなウェブページ提供装置４００は、固有アドレス情報、例えばウェブアドレス情報を通信ネットワーク３００上のＤＮＳ（Ｄｏｍａｉｎ  Ｎａｍｅ）サーバーに登録し、当該固有アドレス情報にアクセスする送信側端末機１０１及び受信側端末機１０２にウェブページを提供する。この過程でウェブページ提供装置４００は、設計によっては認証手続を行うようにリクエストすることができる。ウェブページ提供装置４００が提供するウェブページは、特定ウェブページ提供装置４００の識別のための識別情報と、ウェブページ提供装置４００が保有したページのうちどんなページであるかを識別することができる識別情報などを含むことができる。また、ウェブページ内には、多様なコンテンツやアイテムが配置されてもよい。例えば、ウェブページは、特定テキストコンテンツ、イメージコンテンツ、動画コンテンツ、オーディオコンテンツなどが一定形態に配置されてもよい。一方、前述したウェブページは、ウェブページ形態で構成される場合、ｈｔｍｌ言語で作成されてもよい。この場合、前述したそれぞれの特定コンテンツは、タグ情報を含む。タグ情報は、タグＩＤ情報を含んでそれぞれの特定コンテンツは、固有なタグＩＤ情報を有する。また、それぞれのコンテンツは、固有なソース情報を含んでもよい。ソース情報は、前述したタグ情報を含んで構成される。
【００２６】
通信ネットワーク３００は、送信側端末機１００と受信側端末機２００との間に配置され、送信側端末機１００と受信側端末機２００との間の通信チャネルを形成する。このような通信ネットワーク３００は、送信側端末機１００及び受信側端末機２００の機器特性によって多様な形態の通信ネットワーク装置を含んでもよい。通信ネットワーク３００は、送信側端末機１００と受信側端末機２００が移動型装置として設けられる場合、端末機のモビリティ（移動性）をサポートするために移動通信ネットワークで構築されてもよい。例えば、通信ネットワーク３００は、２Ｇ、３Ｇ、４Ｇなど多様な世代の通信方式をサポートするためのネットワーク装置を含んでもよい。一方、通信ネットワーク３００は、送信側端末機１０１及び受信側端末機１０２とウェブページ提供装置４００との間の通信チャネルを形成する。そして、通信ネットワーク３００によって、ウェブページ提供装置４００のウェブページは、送信側端末機１０１及び受信側端末機１０２に提供される。
【００２７】
したがって、本発明の通信ネットワーク３００は、送信側端末機１００が収集したウェブページの固有アドレス情報と位置情報を受信側端末機２００に伝送することができるネットワーク装置、及び、受信側端末機２００がウェブページ提供装置４００に接続し、多様なコンテンツを含むウェブページを受信することができるように支援するネットワーク装置など多様な通信ネットワーク装置のうち少なくとも１つを含むことができることが理解されるとよい。
【００２８】
以上説明したように、本発明のウェブページ共有支援システム１０は、送信側端末機１０１がリクエストしたウェブページの特定位置を受信側端末機１０２で確認することができるようにして、情報共有をさらに正確で且つ精密に行うことができるように支援する。以下、前述したウェブページ共有機能についてさらに詳しく説明する。
【００２９】
図２は、本発明の実施形態によるウェブページ共有支援システム１０の構成のうち端末機の構成をさらに詳しく示す図である。説明に先立って、端末機１００は、送信側機能及び受信側機能を共にサポートすることができる形態として構成されるので、送信側機能を主に説明するが、説明過程で受信側機能についても追加的に説明することにする。これにより、以下では、本発明の端末機は、参照番号"１００"を割り当てて説明することにし、このような端末機は、状況によって送信側端末機または受信側端末機として動作することが理解されるとよい。
【００３０】
図２を参照すれば、本発明の端末機１００は、通信部１１０、入力部１２０、オーディオ処理部１３０、表示部１４０、格納部１５０及び制御部１６０の構成を含むことができる。
【００３１】
このような構成の端末機１００は、ウェブページ共有機能のうち送信側機能をサポートために入力部１２０及び入力機能の表示部１４０で発生する入力イベントによってウェブページ提供装置４００から特定ウェブページを受信する。そして、端末機１００は、受信されたウェブページを表示部１４０に出力し、当該ウェブページを受信側端末機と共有するように指示する入力イベントが発生するか否かを確認する。そして、ウェブページ共有機能を指示する入力イベントが発生すれば、制御部１６０は、現在表示部１４０に出力中のウェブページの固有アドレス情報及び位置情報を収集する。収集された固有アドレス情報及び位置情報は、ユーザが指定した受信側端末機に自動で、またはユーザ確認を経て伝達されてもよい。一方、端末機１００は、受信側機能を行う過程で送信側端末機から特定ウェブページの固有アドレス情報と位置情報を受信すれば、これに基づいてウェブページ提供装置４００への接続を行い、当該ウェブページと当該位置に対応する情報を受信し、表示部１４０に出力する。
【００３２】
このために、端末機１００の通信部１１０は、通信ネットワーク３００を通じてウェブページ提供装置４００と通信チャネルを形成することができる。そして、通信部１１０は、ユーザが入力した入力イベントによって特定ウェブページをリクエストするメッセージをウェブページ提供装置４００に送信し、ウェブページ提供装置４００から当該ウェブページを受信することができる。受信されたウェブページは、制御部１６０の制御によって表示部１４０に出力される。通信部１１０は、ウェブページ受信のためにデータ通信チャネルを形成し、当該通信チャネルに基づいてウェブページに該当するデータを受信する。この際、形成されるデータ通信チャネルは、ＷｉＦｉ通信チャネル、３Ｇ、４Ｇなど多様な通信チャネルのうちの１つであってもよい。
【００３３】
一方、通信部１１０が受信したウェブページは、固有アドレス情報を含み、ウェブページに含まれたそれぞれのコンテンツは、固有なタグ情報を含む。固有アドレス情報は、ＵＲＬ情報などウェブページアドレス情報であってもよい。これにより、通信部１１０は、ウェブページの特定位置を共有するように指示する入力イベント発生によって受信側端末機にウェブページの固有アドレス情報及び表示部１４０に表示される現在位置情報を伝送することができる。この際、通信部１１０は、前述した情報伝送のために文字メッセージチャネル、チャットサービスチャネルなど多様なチャネルを運用することができる。
【００３４】
一方、端末機１００が受信側機能を行う場合、通信部１１０は、他の端末機から特定ウェブページの固有アドレス情報と位置情報とを受信する。受信された固有アドレス情報と位置情報とは、制御部１６０に提供され、通信部１１０は、制御部１６０の制御によって当該ウェブページを提供するウェブページ提供装置４００への接続を行うことができる。そして、通信部１１０は、ウェブページ提供装置４００が提供するウェブページを受信し、制御部１６０に提供することができる。
【００３５】
入力部１２０は、端末機１００の操作に必要な多様な入力信号を生成する。入力部１２０は、ボタンキーや、サイドキー、ホームキーなど特定のキー形態で形成されることは勿論、フルタッチスクリーンをサポートするために仮想タッチパッドとして提供されてもよい。ここで、仮想タッチパッドは、表示部１４０上に表示され、ユーザタッチによる入力信号を生成することができる。
【００３６】
ウェブページ共有機能のうちの送信側機能をサポートする場合、入力部１２０は、ウェブページ提供装置４００への接続のための入力信号、特定ウェブページ受信をリクエストする入力信号、受信されたウェブページ検索のためのナビゲーション入力信号を生成することができる。特に入力部１２０は、ウェブページの特定位置が表示部１４０に出力されている状態で現在ウェブページの位置を他の端末機と共有するようにリクエストするウェブページ共有機能選択のための入力信号を生成することができる。
【００３７】
ウェブページ共有機能のうち受信側機能をサポートする場合、入力部１２０は、他の端末機が伝送した特定ウェブページの固有アドレス情報及び表示部に出力された位置情報確認のための入力信号を生成する。この確認のための入力信号は、設計によって省略されてもよい。例えば、端末機１００は、チャット中の他のユーザ端末機が提供したウェブページの固有アドレス情報と位置情報とをデフォルトで確認し、当該ウェブページ受信のためのウェブページ提供装置４００への接続を自動で行うことができる。さらに、入力部１２０は、受信されたウェブページの固有アドレス情報と位置情報とを格納するための入力信号をユーザ制御によって生成することができる。
【００３８】
オーディオ処理部１３０は、端末機の操作過程で発生する多様なオーディオ信号を処理する。例えば、オーディオ処理部１３０は、端末機１００で生成された、またはデコードされたオーディオ信号を出力するためにスピーカーＳＰＫを含むことができ、また、音声通話や映像通話機能、録音機能などをサポートするためにオーディオ信号を収集することができるマイクＭＩＣを含むことができる。このようなオーディオ処理部１３０は、ウェブページにオーディオコンテンツが含まれており、当該オーディオコンテンツ再生のためのスケジュール情報や入力イベントがあれば、当該オーディオ信号を出力する。特に、オーディオ処理部１３０は、ウェブページ共有機能選択のための入力イベントが発生すれば、ウェブページの固有アドレス情報と現在位置情報とを収集し、これを他の端末機への伝送が正常に成功した場合または伝送が失敗した場合などに対応する効果音や案内音を出力することができる。オーディオ処理部１３０の前述した効果音や案内音の出力は、ユーザ設定などによって省略されてもよい。
【００３９】
表示部１４０は、本発明の端末機１００の操作に必要な多様な機能画面を出力する。例えば、表示部１４０は、メニュー画面、複数のアイコン表示画面、複数のウィジェット表示画面、待機画面、ロックスクリーン画面など、設定された機能及び端末機１００のサポート機能などによって多様な画面を提供することができる。特に本発明の表示部１４０は、ウェブページ提供装置４００への接続過程に対する画面、ウェブページ提供装置４００が提供するウェブページ出力画面、ナビゲーション入力イベントによってウェブページの多様な位置領域を出力する画面、ウェブページ共有機能実行によって固有アドレス情報と位置情報との収集及び送信を案内する画面などを出力することができる。一方、表示部１４０は、受信側機能の実行において他の端末機が提供したウェブページ固有アドレス情報と位置情報との受信を案内する画面、デフォルト実行または確認によって固有アドレス情報を利用してウェブページ提供装置４００に接続する画面、接続されたウェブページ提供装置４００から当該固有アドレス情報に該当するウェブページを受信して出力するウェブページ出力画面を提供する。ここで、受信側端末機のウェブページ出力画面は、送信側端末機が提供したウェブページの位置情報に該当するウェブページの特定領域に該当する。表示部１４０に出力されるウェブページの送信側端末機での出力画面及び受信側端末機での出力画面について、後述する画面例示図などを参照してさらに詳しく説明する。
【００４０】
格納部１５０は、本発明の端末機１００の運用に必要な多様なデータとプログラムを格納する。例えば、格納部１５０は、端末機１００の動作のためのオペレーティングシステム、端末機１００の動作において送受信されるかまたは入力されたデータなどを格納することができる。特に格納部１５０は、本発明のウェブページ共有機能をサポートするためのページ共有プログラム１５１を格納することができる。
【００４１】
ページ共有プログラム１５１は、大別して、ページ共有のための送信側ルーチンと受信側ルーチンとを含む。まず、送信側ルーチンは、ウェブページ出力のためのルーチン、例えばウェブブラウザーなどのプログラムルーチン、受信されたウェブページの共有機能選択を行うことができるようにアイコンやメニューを提供するルーチン、当該アイコンやメニュー選択時にウェブページの固有アドレス情報と表示部１４０に現在出力中のウェブページの位置情報との収集ルーチン、収集された情報をユーザが指定した他の端末機に伝送する伝送ルーチンを含むことができる。伝送ルーチンは、チャットサービスチャネルを通じて伝送するルーチン、文字メッセージサービスを通じて伝送するルーチンなどを含むことができる。
【００４２】
受信側ルーチンは、ウェブページの固有アドレス情報及び位置情報の受信時にこれを出力するルーチン、スケジュール情報または入力イベントによって受信されたウェブページの固有アドレス情報を利用してウェブページ提供装置４００に接続を行うルーチン、ウェブページ提供装置４００から固有アドレス情報に該当するウェブページを受信するルーチンを含む。特に受信側ルーチンは、受信ウェブページを出力し、且つ、位置情報に該当するウェブページ領域を表示部１４０に出力するルーチンを含む。
【００４３】
制御部１６０は、本発明の実施形態によるウェブページ共有機能をサポートするための端末機１００の信号フローと、データの処理、情報の収集と伝送などを制御する構成である。このような制御部１６０は、ウェブページ共有機能をサポートするために図３に示されたような構成を含むことができる。
【００４４】
図３は、本発明の実施形態による端末機１００の制御部１６０の構成をさらに詳しく示す図である。
【００４５】
図３を参照すれば、本発明の制御部１６０は、入力イベント収集部１６１、ページ共有制御モジュール１６３の構成を含むことができる。
【００４６】
入力イベント収集部１６１は、端末機１００の入力部１２０及び入力機能をサポートする表示部１４０のうち少なくとも１つを含む入力手段から発生する入力イベントを収集する。特に、入力イベント収集部１６１は、送信側機能を実行するために入力手段から入力される入力イベントのうち、本発明のウェブページ共有機能選択及び動作のための入力イベントを収集する。このために、入力イベント収集部１６１は、ウェブページ提供装置４００への接続を行う場合、当該ウェブページ提供装置４００が提供するウェブページ共有のためのアイコンやメニューアイテムを出力することができる。または、入力イベント収集部１６１は、ウェブページ共有機能のためのホットキーを入力部１２０の特定ボタンキーに割り当てることができる。そして、入力イベント収集部１６１は、当該メニューまたはアイコンやホットキー選択のための入力イベントが収集されれば、これをページ共有制御モジュール１６３に伝達することができる。
【００４７】
一方、受信側機能の実行において、入力イベント収集部１６１は、ウェブページ共有をリクエストするメッセージ受信時に、これを確認または許容する入力イベント発生を収集する。そして、入力イベント収集部１６１は、当該確認または許容入力イベント発生時に、これをページ共有制御モジュール１６３に提供することができる。一方、入力イベント収集部１６１は、送信側端末機のウェブページ共有リクエストに対して不可または拒絶入力イベント発生時に、当該ウェブページ共有リクエストを無視する。そして、入力イベント収集部１６１は、ウェブページ共有不可メッセージを作成し、送信側端末機に伝送するように制御することができる。
【００４８】
ページ共有制御モジュール１６３は、入力イベント収集部１６１から伝達される入力イベントによってウェブページ共有機能を支援する構成である。入力イベント収集部１６１からウェブページ共有機能活性化をリクエストする入力イベントが伝達されれば、ページ共有制御モジュール１６３は、表示部１４０に現在出力中のウェブページの固有アドレス情報及び当該ウェブページのうち表示部１４０に現在出力中の位置情報を収集する。ここで、ページ共有制御モジュール１６３は、位置情報収集過程で表示部１４０上に出力中のウェブページの開始位置値、例えば一定位置に表示されたウェブページの位置情報を収集することができる。例えば、ページ共有制御モジュール１６３は、ウェブページのうち表示部１４０の中央に位置する地点の座標、表示部１４０の右上側の隅部に位置する座標、表示部１４０の左上側や右下側または左下側の隅部に位置するウェブページの座標情報を収集する。一方、ページ共有制御モジュール１６３は、表示部１４０に出力中のウェブページのＵＲＬ情報など固有アドレス情報を収集することができる。このために、ページ共有制御モジュール１６３は、現在表示部１４０に出力中のウェブページ情報を収集し、収集されたウェブページ情報からＵＲＬ情報が記入された位置を検索し、当該情報を収集するように制御する。
【００４９】
一方、ページ共有制御モジュール１６３は、ウェブページの固有アドレス情報及び表示部１４０上に表示される位置情報収集が完了すれば、当該ウェブページを共有した受信側端末機情報を収集する。この際、ページ共有制御モジュール１６３は、受信側端末機情報収集のための入力ウインドウを表示部１４０に出力し、ユーザに入力されるか、またはデフォルトとして設定された受信側端末機の電話番号や電子メールアドレス情報、チャットＩＤ情報などを収集することができる。例えば、ページ共有制御モジュール１６３は、ウェブページ共有機能を行った履歴を有する情報のうち直前に行われた履歴を有する受信側端末機をデフォルトとして設定し、設定された受信側端末機の情報を収集する。受信側端末機情報収集が完了すれば、ページ共有制御モジュール１６３は、受信された固有アドレス情報及び位置情報を受信側端末機に伝送するように制御する。
【００５０】
受信側機能を実行している際には、ページ共有制御モジュール１６３は、送信側端末機から特定ウェブページの固有アドレス情報及び位置情報を受信すれば、ウェブページ共有機能を許容すべきかをユーザが確認するようにリクエストすることができる。例えば、ウェブページ共有モジュール１６３は、ウェブページ共有機能の許容可否を問う確認ウインドウを表示部１４０に出力することができる。一方、ページ共有制御モジュール１６３は、デフォルトとしてサービス共有機能を許容するように設定された場合、別途の確認ウインドウを出力することなく、受信されたウェブページの固有アドレス情報を利用してウェブページ受信を制御する。この過程で、ページ共有制御モジュール１６３は、ウェブページ受信のために固有アドレス情報を利用してウェブページ提供装置４００への接続を行うことができる。
【００５１】
ウェブページ受信が完了すれば、ページ共有制御モジュール１６３は、送信側端末機が提供したウェブページの位置情報を確認する。そして、ページ共有制御モジュール１６３は、ウェブページの位置情報に基づいて、表示部１４０に現在出力されたウェブページの位置を決定し、ウェブページの当該位置が表示部１４０に出力されるように制御する。
【００５２】
図４は、本発明の実施形態によるウェブページ共有機能をサポートするシステム構成間の信号フローを示すものである。
【００５３】
図４を参照すれば、本発明のシステム動作は、ステップ４０１において送信側端末機１０１がウェブページ提供装置４００への接続を行い、ステップ４０３においてウェブページ提供装置４００が提供するウェブページを受信する。その後、ステップ４０５において、送信側端末機１０１は、受信されたウェブページを表示部１４０に出力する。
【００５４】
一方、送信側端末機１０１は、共有リクエストが発生すれば、ステップ４０７において、共有リクエストによるウェブページの固有アドレス情報及び位置情報の収集を行うことができる。そして、ステップ４０９において、送信側端末機１０１は、ウェブページの固有アドレス情報及び位置情報を受信側端末機１０２に提供する。
【００５５】
受信側端末機１０２は、送信側端末機１０１からウェブページ共有のための固有アドレス情報及び位置情報を受信すれば、デフォルトとして、またはユーザ選択によって当該共有機能を許容し、ステップ４１１において、受信された情報で固有アドレス情報を利用してウェブページ提供装置４００への接続を行う。ステップ４１３において、ウェブページ提供装置４００は、受信側端末機１０２のリクエストに従って当該固有アドレス情報に対応するウェブページを受信側端末機１０２に提供する。受信側端末機１０２は、ウェブページ提供装置４００からウェブページを受信すれば、ステップ４１５において、位置情報に該当するウェブページ出力を行う。この過程で、受信側端末機１０２は、送信側端末機１０１の表示部に出力中のウェブページ領域が出力されるように、画面表示された座標情報の適用、画面サイズに対する出力されるウェブページのサイズの比率の適用、テキスト検索語の適用、ソースコードやタグＩＤの適用、画面方向の適用、キャプチャー情報の適用のうちの少なくとも１つを行うことができる。
【００５６】
図５は、本発明のウェブページ共有機能をサポートする端末機の送信側機能の動作を説明するための図である。
【００５７】
図５を参照すれば、本発明の端末機の動作では、ステップ５０１において、電源部から電源が供給されれば、制御部１６０が端末機１００の運用に必要な各構成に電源を供給するように制御する。次に、入力部１２０及び入力機能を有する表示部１４０から入力イベントが受信されれば、ステップ５０３において、制御部１６０は、当該入力イベントがページ表示機能活性化のための入力イベントであるか否かを確認する。特に、制御部１６０は、特定のウェブページ提供装置４００が提供するウェブページ出力機能の活性化をリクエストする入力イベントであるか否かを確認する。このステップで、制御部１６０は、当該入力イベントがページ出力機能リクエストのためのものではない場合、ステップ５０４において、当該入力イベントによる機能を実行する。例えば、制御部１６０は、入力イベントの種類によって、放送受信機能、ファイル再生機能、ファイル編集機能、通話機能など多様な機能を実行することができる。
【００５８】
一方、ステップ５０３においてページ表示機能リクエストのための入力イベントであれば、ステップ５０５において、制御部１６０は、リクエストされたページを表示部１４０に表示するように制御することができる。この過程で、制御部１６０は、通信ネットワーク３００を通じてウェブページ提供装置４００への接続を行い、ウェブページ提供装置４００が提供するウェブページの受信を制御する。
【００５９】
ウェブページが表示部１４０に表示された状態で、特定の入力イベントが発生すれば、ステップ５０７において、制御部１６０は、当該入力イベントがページ共有のための入力イベントであるか否かを確認する。このために、制御部１６０は、ページ共有機能の選択のためのメニューアイテムやアイコンを表示部１４０に出力するか、特定のホットキーの割当を制御することができる。そして、当該メニューアイテムやアイコンまたはホットキーの選択による入力イベントが発生すれば、ステップ５０９において、制御部１６０は、ページ固有アドレス情報及び現在表示位置情報を収集するように制御することができる。ページの固有アドレス情報は、ウェブアドレス情報またはＵＲＬアドレス情報などであってもよい。ウェブページの現在表示位置情報は、端末機１００の表示部１４０に出力中のページの位置情報であって、全体ウェブページのうち、表示部１４０上に出力されているページ領域に対する情報であってもよい。
【００６０】
制御部１６０は、位置情報を収集する過程で、全体ウェブページのサイズ情報、例えば横サイズ及び縦サイズ情報と、表示部１４０上に現在出力されているページ領域の一定地点の座標情報とを位置情報として収集することができる。ここで、一定地点は、前述したように、表示部１４０上に出力されているウェブページの特定地点に対する座標情報であってもよい。座標情報が収集されれば、制御部１６０は、当該ウェブページのデザインに従って、座標情報に基づく仮想アンカー（ｖｉｒｔｕａｌ  Ａｎｃｈｏｒ）機能を提供することができる。仮想アンカーは、特定ウェブページ内でユーザが指定した表示部１４０の特定位置に移動することができるように"ＵＲＬ＋＃＋ｖｉｒｔｕａｌ  ａｎｃｈｏｒ（座標情報）"のように定義されることができる。ここで、"＃"は、次につながる情報が表示部１４０に出力されるべきウェブページの特定領域に該当する仮想アンカーであることを指示するコードであってもよい。受信側端末機の制御部１６０は、"ＵＲＬ＋＃＋ｖｉｒｔｕａｌ  ａｎｃｈｏｒ座標情報"を受信すれば、当該ＵＲＬ情報に基づいてウェブページ提供装置４００からウェブページを受信し、ソース情報をデコードし、内容を確認し、"＃"以下に記載された座標情報に画面が移動するように制御することができる。この際、制御部１６０は、仮想アンカーの座標情報が有効でない場合、例えばウェブページの全体サイズから外れた座標情報を有する場合、デフォルトとして定義された位置に対応する当該ウェブページの領域を表示部に出力するとよい。一方、仮想アンカーの座標情報が有効な場合、制御部１６０は、後述する方式によって当該ウェブページの特定領域を出力する。
【００６１】
一方、制御部１６０は、ウェブページ位置情報として表示部１４０上に現在出力されているウェブページ領域に含まれているコンテンツのソース情報またはタグＩＤ情報を収集することができる。表示部１４０上に出力中のコンテンツのサイズに応じて少なくとも１つのタグＩＤ情報が収集される。例えば、出力中のコンテンツのサイズが表示部１４０のサイズよりも大きい場合、制御部１６０は、１つのタグＩＤ情報のみを収集することができる。また、コンテンツのサイズが小さくて、表示部１４０に複数個が配置される場合、制御部１６０は、少なくとも１つのタグＩＤ情報を収集することができる。ここで、制御部１６０は、設計によって、表示部１４０の一定位置に出力されているコンテンツのタグＩＤ情報のみを位置情報として収集するか、表示部１４０上で発生するタッチイベントが指定したコンテンツのタグＩＤ情報を収集するか、複数個のコンテンツのタグＩＤ情報すべてを収集して、位置情報を作成することができる。さらに、制御部１６０は、ウェブページの最上端に位置するコンテンツのタグＩＤ情報と表示部１４０に出力中のウェブページの一部の領域の特定の座標情報を位置情報として収集してもよい。一方、タグＩＤ情報に代えて、ソース情報を直接利用してコンテンツの位置情報を収集するように設計されてもよい。ソース情報は、前述したように、少なくとも１つのコンテンツタグＩＤ情報を含むことができる。
【００６２】
一方、制御部１６０は、表示部１４０上に現在出力されているウェブページ領域に含まれた特定のテキストを収集し、これを位置情報として提供することもできる。特に、特定の語彙や単語が全体画面で重複して使用されることを考慮すれば、制御部１６０は、表示部１４０に出力中のコンテンツが含む複数個の語彙、複数個の単語、特定文章、特殊文字を少なくとも１つ収集し、これを位置情報として提供することもできる。一方、制御部１６０は、位置情報作成過程で端末機１００の現在の画面方向の状態に対する情報、例えば横モード表示状態または縦モード表示状態に対する情報を収集し、これを他の情報、例えばタグＩＤ情報や座標情報、キャプチャー情報やテキスト情報などとともに、位置情報として含むように制御することができる。このために、端末機１００は、加速度センサーなど横モードまたは縦モード変換に対する情報を収集することができるセンサーをさらに含んでもよい。
【００６３】
さらに、制御部１６０は、表示部１４０に現在出力中のウェブページの一定領域のうち少なくとも一部の領域をキャプチャーし、位置情報として提供してもよい。特に、制御部１６０は、画面領域の全体をキャプチャーする場合、伝送すべき位置情報のサイズが大きくなるので、表示部１４０に表示されるウェブページ領域を一定のマトリックス形態で区分し、区分されたマトリックス形態のうち少なくとも１つを位置情報として収集することができる。この際、制御部１６０は、さらに、迅速且つ正確な位置検出のために複数個の領域に対するキャプチャー情報を位置情報として提供することができる。
【００６４】
例えば、制御部１６０は、表示部１４０に表示中のウェブページ領域を９個または１６個のサブ領域に区分し、区分された領域のうちあらかじめ定義された特定位置の領域、例えば右上側の隅部及び左下側の隅部に配置された領域をキャプチャーするか、ランダムに選択された領域に対するキャプチャー情報を位置情報として提供することができる。ここで、制御部１６０は、ユーザが指定した少なくとも１つの特定の領域に対するキャプチャー情報を収集し、これを位置情報として作成することもできる。ユーザが特定領域をキャプチャー情報として選択する場合、制御部１６０は、ユーザが選択した領域と選択されない領域とを区分する情報、例えばハイライト情報やマーキング情報などを有するように設定し、これを位置情報に含ませてもよい。
【００６５】
ウェブページの固有アドレス情報及び位置情報の収集が完了すれば、ステップ５１３において、制御部１６０は、収集された固有アドレス情報及び位置情報を受信側端末機に送信する。この過程で、制御部１６０は、受信側端末機の電話番号や電子メールアドレス、チャットＩＤ情報を収集し、当該情報の入力のために入力ウインドウを出力してもよい。入力ウインドウは、電話帳データ検索ウインドウであってもよい。
【００６６】
一方、ステップ５０７において、発生した入力イベントがページ共有のための入力イベント発生ではない場合、ステップ５１１において、制御部１６０は、当該入力イベントによる機能を実行することができる。例えば、制御部１６０は、入力イベントによってウェブページの他の領域を表示部１４０に出力させ、入力イベントが指定した特定位置のコンテンツに対して当該コンテンツの詳細情報表示画面へ切り替えてもよい。
【００６７】
次に、制御部１６０は、ステップ５１５において、ページ表示終了のための入力イベントを受信すれば、ページ表示機能を終了し、既定のスケジュール情報による機能へ切り替えるか、ページ表示機能直前に行われた機能へ切り替える。一方、制御部１６０は、ページ表示終了のための入力イベント発生がない場合、ステップ５０５に戻り、ページ表示機能を継続する。
【００６８】
図６は、本発明のウェブページ共有機能をサポートする端末機の受信側機能の動作を説明するための図である。
【００６９】
図６を参照すれば、本発明の端末機の動作では、ステップ６０１において、端末機１００の制御部１６０は、電源部が供給する電源を、端末機１００の各構成のうち現在実行中の機能を支援するための構成に供給するように制御することができる。特に、制御部１６０は、通信部１１０に電源を供給し、文字、チャットメッセージまたは電子メールなどを受信することができる状態に維持する。
【００７０】
その後、ステップ６０３において、制御部１６０は、ページ共有をリクエストするメッセージ受信が発生するか否かを確認する。このステップでページ共有リクエストのためのメッセージ受信がない場合、制御部１６０は、ステップ６０５において、通信部１１０の待機状態を維持しながら、入力イベントによって端末機１００の機能を実行する。例えば、制御部１６０は、入力イベントに応じて特定通信機能、ウェブ接続機能、ファイル再生や編集機能などを実行することができ、入力イベントがない場合、スリープ状態に遷移させて、電源節約モードに移行するか、または端末機１００終了のための入力イベント発生時に端末機１００を終了させるように制御することができる。
【００７１】
一方、ステップ６０３において、ページ共有をリクエストするメッセージが受信されれば、ステップ６０７において、制御部１６０は、共有を許容するか否かを確認する。デフォルトとしてページ共有機能を許容するように設定されている場合、ステップ６０７は省略され、制御部１６０はステップ６０９に進んでもよい。一方、制御部１６０は、共有許容可否がデフォルトとして設定されていなければ、共有許容可否を問うポップアップウインドウやメッセージを出力してもよい。共有許容可否が問われて、共有不可に関する入力イベントが発生すれば、制御部１６０は、ページ共有機能を無視し、ステップ６０５に進み、入力イベントによる端末機１００の機能を実行してもよい。この過程で、制御部１６０は、共有不可に対する応答メッセージを作成し、応答メッセージを送信側端末機に送信してもよい。
【００７２】
一方、ステップ６０７において共有が許容されるか、共有の許容がデフォルトとして設定されている場合、ステップ６０９において、制御部１６０は、受信情報のうちウェブページ固有アドレス情報及び位置情報を構文解析により抽出（パーシング）する。そして、制御部１６０は、パーシングされるウェブページ固有アドレス情報を利用して、通信部１１０及び通信ネットワーク３００を介してウェブページ提供装置４００へ接続する。そして、制御部１６０は、ステップ６１１において、ウェブページ提供装置４００から当該固有アドレス情報に該当するウェブページのデータを受信する。
【００７３】
次に、制御部１６０は、ステップ６１３において、受信ウェブページを出力し、且つ、ステップ６０９において、パーシングされた位置情報に対応するウェブページ領域を表示部１４０に出力させる。これをさらに詳しく説明すれば、表示部１４０のサイズに対する表示されるウェブページのサイズの比率が異なるように設定されてもよい。すなわち送信側端末機の表示部と受信側端末機の表示部のサイズが異なっている場合、送信側端末機に適用されたウェブページの全体サイズは、受信側端末機に適用されるウェブページの全体サイズと異なるように設定されてもよい。これにより、送信側端末機がウェブページの全体サイズ情報と表示部１４０に出力された位置の座標情報を提供した場合、制御部１６０は、送信側ウェブページの全体サイズ情報に対する比率と受信側ウェブページの全体サイズ情報に対する比率が同一であるかを確認する。同一である場合、制御部１６０は、当該位置情報に含まれた座標情報と同じ座標情報を受信側端末機の表示部にも適用し、当該座標情報に該当するウェブページ領域を出力させる。一方、制御部１６０は、送信側と受信側のページの比率が異なる場合、双方のウェブページ全体サイズの比率を座標情報に適用し、受信側端末機の表示部に対応する座標情報に換算し、当該座標情報に該当するウェブページ領域を表示部に出力させる。このように、本発明は、ウェブページの全体領域を確認することができる場合、座標情報に基づいてページ共有機能を実行することができる。
【００７４】
また、位置情報にタグＩＤ情報が含まれた場合、制御部１６０は、タグＩＤ情報に基づいてウェブページの特定領域を表示部１４０に出力させてもよい。例えば、１つのタグＩＤ情報が位置情報として含まれた場合、制御部１６０は、ウェブページのソース情報から当該タグＩＤ情報を検索した後、タグＩＤ情報を含むウェブページ領域を表示部１４０に出力させる。ここで、タグＩＤ情報が複数個である場合、複数個のタグＩＤ情報が共に表示部１４０に出力される地点を算出し、算出された地点に該当するウェブページ領域を表示部１４０に出力させる。
【００７５】
このようなタグＩＤ提供方式は、ウェブページの全体サイズ領域をあらかじめ確認することができないように設計された場合に有用である。すなわち、ウェブページの全体サイズ情報よりコンテンツのソース情報やタグＩＤ情報を含むレンダーツリー（Ｒａｎｄｅｒ  ｔｒｅｅ）が先に提供されるウェブページを受信すれば、制御部１６０は、優先的にレンダーツリーを確認し、タグＩＤ情報がどこに位置するかどうかを確認し、当該タグＩＤ情報が位置するウェブページ領域を優先的に表示部１４０に出力する。この過程で、制御部１６０は、ウェブページ提供装置４００が提供するウェブページのソース情報を受信し、タグで構成されたＤｏｍツリーを生成した後、実際に描かれるレンダーツリーを生成する。
【００７６】
そして、制御部１６０は、レンダーツリーに基づいて全体ウェブページに対するレイアウトを動的に生成することができる。その後、タグＩＤに該当するコンテンツの実際のサイズに対する情報が受信されれば、制御部１６０は、実際のサイズに対する情報に基づいてレイアウト内にコンテンツのサイズや位置を再割当することができる。この際、制御部１６０は、送信側端末機から位置情報として提供されたタグＩＤ情報を表示部１４０の特定位置に配置されるように、他のタグＩＤに対するコンテンツ表示制御を行ってもよい。例えば、制御部１６０は、位置情報として提供されたタグＩＤに該当するコンテンツの開始地点が表示部１４０の一定地点、例えば右上側の隅部の中央地点に位置するように制御し、周辺タグＩＤに対応するコンテンツ配置を制御することができる。一方、位置情報として１つのタグＩＤが提供され、当該タグＩＤに対応するコンテンツが表示部１４０の全体サイズよりも大きい場合には、当該コンテンツの開始地点が一定地点、例えば表示部１４０の右上隅などに配置されるようにウェブページ表示を制御することができる。
【００７７】
制御部１６０は、位置情報としてテキスト検索語が提供された場合、ウェブページをロードし、デフォルトとして定められたウェブページの特定領域を表示部１４０に出力するように制御し、その後に提供されたテキスト検索語が含まれたウェブページ領域を検索する。そして、制御部１６０は、当該テキスト検索語が含まれたウェブページ領域が表示部１４０に表示されるようにウェブページの画面を移動する。このとき、制御部１６０は、前述した機能を、バックグラウンドで行い、テキスト検索語が含まれたウェブページ領域が表示部１４０にすぐ表示されるように制御してもよい。また、キャプチャー情報を、前述したテキスト検索語と同様に適用することができる。すなわち、制御部１６０は、ウェブページ全体をデフォルトとして表示し、位置情報として提供されたキャプチャー情報とマッチングするブロックを有する領域を検索した後、当該領域に対応するウェブページ領域を表示部１４０に出力させてもよい。
【００７８】
制御部１６０は、位置情報に画面方向の情報が含まれ、共に提供されたタグＩＤ情報や、座標情報、キャプチャー情報やテキスト情報に基づいてウェブページの出力領域を決定するとき、開始点に対する表示方向を画面方向の情報に対応するように調整する。すなわち、制御部１６０は、送信側端末機で横モード状態の開始地点を提供した場合、受信側端末機でも横モード状態で特定開始地点のウェブページ領域が表示部１４０に出力させてもよい。
【００７９】
次に、ステップ６１５において、制御部１６０は、ページ表示終了のための入力イベント発生有無を確認し、当該入力イベントが発生すれば、ページ表示機能を終了するように制御することができる。一方、制御部１６０は、ページ表示終了のための入力イベント発生がない場合、ステップ６０３に戻り、ステップ６０３以降の過程を再度実行する。
【００８０】
図７は、本発明の実施形態によるウェブページ共有機能をサポートする端末機の表示部に出力される画面の一例を示す図である。説明に先立って、７０１画面は、送信側機能を行う端末機での画面例を示すものであり、７０３画面は、受信側機能を行う端末機での画面例を示すものである。
【００８１】
図７を参照すれば、送信側端末機１０１は、ウェブページ提供装置４００への接続を行い、ウェブページ提供装置４００から７０１画面に示したような第１ウェブページ１４１を受信することができる。受信された第１ウェブページ１４１は、表示部に出力される画面のサイズよりも大きく構成されてもよい。そして、送信側端末機１０１は、第１ウェブページ１４１の特定領域を検索するためのナビゲーションイベントなどが発生すれば、図示されたように、第１ウェブページ１４１の全体領域のうち特定ウェブページ領域が表示部に出力させる。例えば、図示されたように、第１ウェブページ１４１が"ｗ１"及び"ｈ１"に該当する幅と長さを有し、ナビゲーション機能実行によってページの領域移動が発生した場合"ｘ１、ｙ１"地点を表示の開始地点とする第１ウェブページ一部領域１４９が表示部に出力されたとする。
【００８２】
制御部１６０は、前述した第１ウェブページ１４１のサイズ情報である"ｗ１、ｈ１"に対する情報及び表示部に出力される第１ウェブページ一部領域１４９の開始座標情報"ｘ１、ｙ１"情報を収集し、位置情報として作成することができる。ここで、開始座標情報として"（０、１００）"は、開始座標情報として例示的に示したもので、第１ウェブページ一部領域１４９の位置変換によって開始座標情報は変更されてもよい。また、開始座標情報を表示部の左上隅地点の座標情報として例示したが、本発明がこれに限定されるものではない。すなわち第１ウェブページ一部領域１４９に対する開始座標情報は、表示部の右上隅地点、右下隅地点、左下隅地点、中央地点など多様な地点のうち少なくとも１つを含んでいればよい。このような開始座標情報は、受信側端末機１０２とあらかじめ合意した地点に対する情報であってもよい。
【００８３】
一方、第１ウェブページ一部領域１４９には、多数のコンテンツが含まれる。含まれた各コンテンツは、固有タグＩＤ情報を有する。送信側端末機１０１の制御部１６０は、第１ウェブページ一部領域１４９を表示部に出力する過程で、前述したレンダーツリーを参照して出力するので、どんなタグＩＤ情報を有するコンテンツまたはコンテンツが表示部に現在出力されているかに関する情報収集を行うことができる。これにより、制御部１６０は、位置情報作成時に第１ウェブページ一部領域１４９に含まれた少なくとも１つのコンテンツのタグＩＤ情報を収集し、これを当該位置情報に含ませるように制御することができる。また、制御部１６０は、第１ウェブページ一部領域１４９にテキストコンテンツが含まれた場合、当該テキストコンテンツに含まれた少なくとも一部のテキストを収集し、位置情報として提供することができる。
【００８４】
受信側機能を行う受信側端末機１０２の制御部１６０は、送信側端末機１０１からウェブページの固有アドレス情報及び位置情報を収集すれば、当該固有アドレス情報を利用してウェブページ提供装置４００への接続を行い、固有アドレス情報に該当する第２ウェブページ２４１を受信する。第１ウェブページ１４１と第２ウェブページ２４１は、実質的に同じウェブページであるとよい。但し、第２ウェブページ２４１のサイズは、第１ウェブページ１４１と異なってもよい。
【００８５】
受信側端末機１０２がウェブページを受信するためにウェブページ提供装置４００への接続を行う過程で、受信側端末機１０２は、表示部のサイズ情報をウェブページ提供装置４００に提供してもよい。ウェブページ提供装置４００は、受信側端末機１０２の表示部のサイズに対応する第２ウェブページ２４１を提供してもよい。結果的に、第２ウェブページ２４１の幅と長さは、第１ウェブページ１４１の幅と長さと異なってもよい。一方、送信側端末機１０１と受信側端末機１０２が同じ表示部のサイズを有する場合、そして同じ表示条件を有する場合、第１ウェブページと第２ウェブページは、同じサイズのウェブページであってもよい。
【００８６】
一方、制御部１６０は、位置情報に含まれた第１ウェブページ１４１の幅と長さに対して第２ウェブページの幅と長さの比率を算出し、この比率を開始座標情報に適用する。すなわち制御部１６０は、次のような数式を通じて受信側端末機１０２の表示部に出力される開始座標情報を算出することができる。
［数式１］
ｗ１：ｗ２＝ｘ１：ｘ２
［数式２］
ｈ１：ｈ２＝ｙ１：ｙ２
［数式３］
ｘ２＝［ｘ１＊ｗ２］／ｗ１
［数式４］
ｙ２＝［ｙ１＊ｈ２］／ｈ１
上述する数式で、ｗ２及びｈ２は、第２ウェブページ２４１の幅と長さであり、ｘ２及びｙ２は、受信側端末機１０２の表示部の開始座標情報である。ｗ１及びｈ１は、前述した第１ウェブページ１４１の幅と長さの値である。
【００８７】
前述した数式を通じて開始座標情報が算出されれば、制御部１６０は、第２ウェブページ２４１を表示部に出力し、且つ開始座標が"ｘ２、ｙ２"地点を基準に第２ウェブページ一部領域２４９を出力する。図７では、第２ウェブページ一部領域２４９の開始座標は、第１ウェブページ１４１と異なる"（０、８０）"値として算出された状況を例示している。第２ウェブページ一部領域２４９の座標値は、端末機の表示部サイズに応じて変化してもよい。
【００８８】
一方、制御部１６０は、送信側端末機１０１が第１ウェブページ一部領域１４９に含まれた固有タグＩＤ情報などを提供した場合、第２ウェブページ２４１を受信した後、第２ウェブページ２４１に該当するソース情報から当該タグＩＤ情報に対応するコンテンツを検索する。そして、制御部１６０は、パーシングされたタグＩＤ情報に対応するコンテンツを含む第２ウェブページ一部領域２４９が出力されるように制御することができる。一方、制御部１６０は、テキスト情報が提供された場合には、第２ウェブページ２４１を表示するようにデフォルトとして定義された特定位置に該当するウェブページ一部領域を表示部に出力するように制御する。そして、制御部１６０は、第２ウェブページ２４１への検索を行い、受信された情報から抽出されたテキスト情報を含む第２ウェブページ一部領域２４９を検索して、検索された第２ウェブページ一部領域２４９が表示部に表示されるように画面を移動する。
【００８９】
図８は、本発明の実施形態によるウェブページ共有機能をサポートする端末機の表示部に出力される画面の一例を示す図である。説明に先立って、８０１画面は、送信側機能を実行する端末機１００の画面例であり、８０３及び８０５画面は、受信側機能を実行する端末機１００の画面例である。
【００９０】
図８を参照すれば、本発明のページ共有機能を行う送信側端末機１０１がウェブページ提供装置４００への接続を実行すれば、ウェブページ提供装置４００は、８０１画面のような第１ウェブページ１４１を送信側端末機１０１に提供することができる。そして、送信側端末機１０１は、受信された第１ウェブページ１４１のうち、表示部に出力するように定義されたデフォルト領域を表示部に出力する。
【００９１】
その後、図示されるように、送信側端末機１０１は、ナビゲーション機能キーなどの入力イベントによって、第１ウェブページ１４１のうち右下隅に位置する第１ウェブページ一部領域１４９を表示部に出力するとする。ここで、送信側端末機１０１は、ユーザのページ共有機能を活性化するための入力イベントが発生すれば、第１ウェブページ一部領域１４９に対する位置情報及び第１ウェブページ１４１の固有アドレス情報を収集する。この際、送信側端末機１０１は、第１ウェブページ一部領域１４９の右上側の隅部に該当する位置を第１ウェブページ一部領域１４９の表示開始情報である"ｘ１、ｙ１"として収集することができる。
【００９２】
特に送信側端末機１０１は、横モード表示状態に配置されている状態で"ｘ１、ｙ１"に対する位置情報収集を行うことができる。位置情報及び固有アドレス情報の収集が完了すれば、送信側端末機１０１は、当該情報を受信側端末機１０２に送信することができる。一方、送信側端末機１０１は、ページ共有機能選択のためのメニューアイテムやアイコンを８０１画面の特定領域に出力するか、入力イベント発生によって表示部上に別途表示してもよい。
【００９３】
送信側端末機１０１が第１ウェブページ一部領域１４９に対する固有アドレス情報と位置情報とを提供すれば、受信側端末機１０２は、受信された情報から固有アドレス情報を先に抽出する。そして、受信側端末機１０２は、抽出された固有アドレス情報に基づいてウェブページ提供装置４００への接続を行い、当該固有アドレス情報に対応して受信側端末機１０２の表示部に対応する形態である第２ウェブページ２４１を８０３画面のように受信することができる。この過程で、受信側端末機１０２は、送信側端末機１０１が提供した位置情報を確認し、図７で前述したような方式で画面の比率を計算し、"ｘ２、ｙ２"値を計算することができる。
【００９４】
そして、受信側端末機１０２は、"ｘ２、ｙ２"に基づいて、第２ウェブページ一部領域２４９を表示部に出力する。ここで、位置情報"ｘ１、ｙ１"が横モード表示状態であった送信側端末機１０１によって送信されたものであるにも関わらず、受信側端末機１０２は、位置情報"ｘ２、ｙ２"に基づいて、縦モード表示状態において、８０３画面のように、第２ウェブページ一部領域２４９を出力してもよい。この場合、第２ウェブページ２４１の表示可能領域にコンテンツが含まれない領域が除外されるので、第２ウェブページ一部領域２４９の表示過程でエラーが発生することがある。すなわち、受信側端末機１０２は、コンテンツが含まれない領域を有する第２ウェブページ一部領域２４９を出力することがある。
【００９５】
したがって、受信側端末機１０２は、第２ウェブページ一部領域２４９の出力に際し、当該領域にコンテンツが含まれない領域が含まれるか、第２ウェブページ２４１の範囲を逸脱した領域を含んでいる場合、自動的に第２ウェブページ一部領域２４９を変更するように制御してもよい。すなわち、受信側端末機１０２は、"ｘ２、ｙ２"を含み、且つ、第２ウェブページ一部領域２４９の全体が第２ウェブページ２４１の領域内に含まれるように調整することができる。これにより、８０５画面のように、受信側端末機１０２は、"ｙ２"値を変更し、第２ウェブページ一部領域２４９の位置が変更されるように調節することができる。
【００９６】
一方、図示していないが、送信側端末機１０１は、"ｘ１、ｙ１"に対する位置情報収集過程で、送信側端末機１０１の横モードまたは縦モードに対する方向情報を収集し、収集された方向情報を位置情報に含ませて受信側端末機１０２に提供することができる。このとき、受信側端末機１０２は、"ｘ２、ｙ２"位置情報による第２ウェブページ一部領域２４９の決定時に、横モードまたは縦モードに状態変換を案内するメッセージを出力するか、別途のメッセージ出力なしに第２ウェブページ一部領域２４９を第１ウェブページ一部領域１４９の方向と一致するように自動的に調整して出力するように制御してもよい。
【００９７】
また、送信側端末機１０１は、８０１画面を一定個数のマトリックス単位に分割し、分割されたマトリックスブロックのうち少なくとも１つのブロックに対するキャプチャー情報を収集し、収集されたキャプチャー情報を受信側端末機１０２に位置情報として提供してもよい。この際、送信側端末機１０１は、マトリックス分割情報を一緒に受信側端末機１０２に提供してもよい。受信側端末機１０２は、マトリックス分割情報に基づいて第２ウェブページ２４１の分割を行い、位置情報に含まれたキャプチャー情報にマッチするブロック検出を行う。そして、受信側端末機１０２は、キャプチャー情報にマッチするブロックを含む領域を表示部に出力する。
【００９８】
一方、送信側端末機１０１は、座標情報、テキスト情報、キャプチャー情報のうち少なくとも１つを位置情報に含んで送信してもよいる。これに対応して受信側端末機１０２は、設計によって、座標情報、テキスト情報、キャプチャー情報のうちの少なくとも１つに基づいて位置情報を確認し、確認された位置情報に該当する第２ウェブページ一部領域を表示部に出力してもよい。
【００９９】
図９は、本発明の実施形態によるウェブページ共有機能をサポートする端末機の表示部に出力される画面の一例を示す図である。説明に先立って、９０１画面は、送信側端末機での画面例であり、９０３画面は、受信側端末機での画面例である。一方、９０１画面が受信側端末機画面であり、９０３画面が送信側端末機画面であってもよい。
【０１００】
図９を参照すれば、送信側端末機１０１は、画面が一定のサイズ以上に提供され、ＰＣ向けの画面を表示することができると仮定する。したがって、９０１画面により示された第１ウェブページ１４１は、ＰＣ向けの画面である。つまり、送信側端末機１０１は、ＰＣ向けの画面を出力することができる端末機であって、タブレットパソコンや、大画面ＰＤＡ、大画面ノートパソコン、スレートパソコン、一定サイズ以上の大画面が提供される携帯端末などのＰＣ向けの画面出力が可能な多様な端末機を含む。
【０１０１】
また、送信側端末機１０１は、９０１画面のように、第１ウェブページ１４１の第１ウェブページ一部領域１４９を表示部に出力するとする。そして、この状態でページ共有機能選択による入力イベントが発生すれば、当該位置に対応する位置情報、すなわち第１ウェブページ１４１の全体サイズ情報である"３００、４５０"、第１ウェブページ一部領域１４９の開始地点に対する座標情報である"８０、１００"を位置情報として収集する。そして、送信側端末機１０１は、収集された位置情報と第１ウェブページ１４１の固有アドレス情報とを受信側端末機１０２に提供することができる。
【０１０２】
受信側端末機１０２は、送信側端末機１０１から受信された情報から第１ウェブページ１４１の固有アドレス情報を抽出し、ウェブページ提供装置４００からモバイル向けの第２ウェブページ２４１を受信することができる。そして、受信側端末機１０２は、送信側端末機１０１から受信された情報から抽出されたＰＣ向け画面の位置情報を確認し、画面の比率に基づいて第２ウェブページ一部領域２４９に対する座標情報、例えば、図示のように"５３、８０"を算出する。受信側端末機１０２は、算出された座標情報に基づいて第２ウェブページ一部領域２４９を出力することができる。
【０１０３】
一方、ＰＣ向け画面とモバイル向け画面とでは、構成されるコンテンツが変わることもある。例えば、モバイル向け画面では、ＰＣ向け画面と異なる広告などが挿入されるか、他のコンテンツが提供されることもある。したがって、送信側端末機１０１は、座標情報提供とともに第１ウェブページ一部領域１４９に含まれたタグＩＤ情報を少なくとも１つ抽出し、これを位置情報に含むように制御することができる。
【０１０４】
このとき、受信側端末機１０２は、座標情報に基づいて第２ウェブページ一部領域２４９を出力し、且つ、特定タグＩＤ情報に該当するコンテンツが含まれるかを確認し、当該タグＩＤ情報に該当するコンテンツがない場合、共有エラーメッセージ出力を行うことができる。または、受信側端末機１０２は、座標情報を無視し、タグＩＤ情報に該当するコンテンツが位置する領域が出力されるように制御することができる。
【０１０５】
なお、ＰＣ向け画面とモバイル向け画面においてウェブページが区分されることについて前述したが、本発明がこれに限定されるものではない。すなわち、前述したＰＣ向け画面は、スマートテレビのような大画面提供のためのモニター向け画面であるか、プロジエクターへの提供のためのプロジエクター向け画面であってもよい。したがって、ＰＣ向け画面とモバイル向け画面は、同じアドレス情報を有し、且つ、互いに異なる端末機をターゲットとして作成された第１バージョン画面及び第２バージョン画面として理解されてもよい。ここで、ウェブページ提供装置４００は、同じアドレス情報を有するが、多様なバージョン提供のためにそれぞれのバージョンを製作して配布してもよい。
【０１０６】
以上説明したように、本発明の実施形態によるページ共有機能は、端末機に搭載されるブラウザーの機能として提供されてもよい。これにより、ユーザは、本発明のブラウザーを操作する過程でページ共有をさらに正確で且つ容易に行うことができ、直観的で且つ迅速なウェブページ共有機能を利用することができる。
【０１０７】
一方、前述した携帯端末機１００は、その提供形態によって多様な追加モジュールをさらに含んでもよい。すなわち、携帯端末機１００は、通信端末機の場合、近距離通信のための近距離通信モジュール、有線通信方式または無線通信方式によるデータ送受信のためのインターフェース、インターネットと通信してインターネット機能を行うインターネット通信モジュール及びデジタル放送受信と再生機能を行うデジタル放送モジュールなどのように、前述されていない構成をさらに含んでもよい。このような構成要素は、デジタル機器のコンバージェンス（ｃｏｎｖｅｒｇｅｎｃｅ)のトレンドにあわせて、多様に変化するので、すべて列挙することはできないが、言及された構成要素と同等な水準の構成要素がデバイスにさらに追加されて構成されてもよい。また、本発明の携帯端末機１００は、その提供形態によって前述した構成から特定構成が除外されるか、他の構成に代替されてもよいことは勿論である。これは、本技術分野における通常の知識を有する者には、容易に理解されることである。
【０１０８】
また、本発明の実施形態による携帯端末機１００は、例えば、多様な通信ネットワークに対応する通信プロトコル（ｃｏｍｍｕｎｉｃａｔｉｏｎ  ｐｒｏｔｏｃｏｌｓ）に基づいて動作するすべての移動通信端末機（ｍｏｂｉｌｅ  ｃｏｍｍｕｎｉｃａｔｉｏｎ  ｔｅｒｍｉｎａｌｓ）を含み、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートパソコン（Ｎｏｔｅｂｏｏｋ）及びハンドヘルドパソコンなどすべての情報通信機器とマルチメディア及びそれに対する応用機器を含むことができる。
【０１０９】
一方、本明細書と図面を通じて本発明の好ましい実施形態について説明し、特定の用語が使用されたが、これは、ただ本発明の技術内容を容易に説明し、発明の理解を助けるための一般的な意味として使用されたものに過ぎず、本発明の範囲を限定しようとするものではない。ここに開示された実施形態以外にも本発明の技術的思想に基づく他の変形例が実施可能であるということは、本発明の属する技術分野における通常の知識を有する者に自明である。
【符号の説明】
【０１１０】
１０  ウェブページ共有支援システム
１００、１０１、１０２  端末機
１１０  通信部
１２０  入力部
１３０  オーディオ処理部
１４０  表示部
１５０  格納部
１６０  制御部
【図１】
2014154161.tif 000003
【図２】
2014154161.tif 000004
【図３】
2014154161.tif 000005
【図４】
2014154161.tif 000006
【図５】
2014154161.tif 000007
【図６】
2014154161.tif 000008
【図７】
2014154161.tif 000009
【図８】
2014154161.tif 000010
【図９】
2014154161.tif 000011